(57)【要約】【課題】ファクシミリがオプションとして搭載されているときは、ファクシミリ機能を利用することができ、オプションとして搭載されていないときは、消費電力を削減する。【解決手段】通信機器をオプションとして搭載可能であり、通信機器を動作状態にする通常モードと、通信機器を不動作状態にする低消費電力モードとを少なくとも有する画像処理装置であって、画像処理装置の周囲の照度を検知する手段と、通信機器がオプションとして搭載されているか否かを判断する手段と、周囲の照度が、所定時間、所定の閾値より小であると検知されると、消費電力モードを低消費電力モードに遷移させる手段と、を含み、通信機器がオプションとして搭載されていると判断されたときは、周囲の照度が、所定時間、所定の閾値より小であると検知されたときであっても、消費電力モードを、通常モードに維持する。【選択図】図６
2014142818.tif 000002
【特許請求の範囲】
【請求項１】
通信機器をオプションとして搭載可能であり、消費電力モードとして、前記通信機器を動作状態にする通常モードと、前記通信機器を不動作状態にする低消費電力モードとを少なくとも有する画像処理装置であって、
前記画像処理装置の周囲の照度を検知する検知手段と、
前記通信機器がオプションとして搭載されているか否かを判断する判断手段と、
前記検知手段により、前記周囲の照度が、所定時間、所定の閾値より小であると検知されると、前記消費電力モードを前記低消費電力モードに遷移させる制御手段と、を含み、
前記判断手段により、前記通信機器がオプションとして搭載されていると判断されたときは、前記検知手段により、前記周囲の照度が、所定時間、所定の閾値より小であると検知されたときであっても、前記制御手段は、前記消費電力モードを、前記通常モードに維持することを特徴とする画像処理装置。
【請求項２】
前記検知手段により、前記周囲の照度が、所定時間、所定の閾値より小であると検知され、前記判断手段により、前記通信機器がオプションとして搭載されていないと判断されたときは、前記消費電力モードを、前記通常モードから前記低消費電力モードに遷移させることを特徴とする請求項１に記載の画像処理装置。
【請求項３】
前記検知手段により、前記周囲の照度が、所定時間、所定の閾値より大であると検知され、前記通信機器がオプションとして搭載されていないと判断されたときは、前記消費電力モードを、前記低消費電力モードから前記通常モードに遷移させることを特徴とする請求項１又は２に記載の画像処理装置。
【請求項４】
前記消費電力モードとして、前記通常モードと前記低消費電力モードに加えて省エネモードを有し、前記通常モードにおいて、非稼働状態が所定時間継続した場合、前記消費電力モードを前記通常モードから前記省エネモードに遷移させることを特徴とする請求項１から３の何れか１項に記載の画像処理装置。
【請求項５】
前記省エネモードにおいて、何かしらの操作がなされたとき、前記消費電力モードを、前記省エネモードから前記通常モードに遷移させることを特徴とする請求項４に記載の画像処理装置。
【請求項６】
前記省エネモードにおいて、前記検知手段により、前記周囲の照度が、所定時間、所定の閾値より小であると検知され、前記判断手段により、前記通信機器がオプションとして搭載されていないと判断されたときは、前記消費電力モードを、前記省エネモードから前記低消費電力モードへ遷移させることを特徴とする請求項４又は５に記載の画像処理装置。
【請求項７】
通信機器をオプションとして搭載可能であり、消費電力モードとして、前記通信機器を動作状態にする通常モードと、前記通信機器を不動作状態にする低消費電力モードとを少なくとも有する画像処理装置の制御方法であって、
検知手段が、前記画像処理装置の周囲の照度を検知する工程と、
判断手段が、前記通信機器がオプションとして搭載されているか否かを判断する工程と、
前記検知する工程により、前記周囲の照度が、所定時間、所定の閾値より小であると検知されると、制御手段が、前記消費電力モードを前記低消費電力モードに遷移させる工程と、
前記判断する工程により、前記通信機器がオプションとして搭載されていると判断されたときは、前記検知する工程により、前記周囲の照度が、所定時間、所定の閾値より小であると検知されたときであっても、前記制御手段は、前記消費電力モードを、前記通常モードに維持する工程と、
を含むことを特徴とする制御方法。
【請求項８】
通信機器をオプションとして搭載可能であり、消費電力モードとして、前記通信機器を動作状態にする通常モードと、前記通信機器を不動作状態にする低消費電力モードとを少なくとも有する画像処理装置のコンピュータに、
前記画像処理装置の周囲の照度を検知する処理と、
前記通信機器がオプションとして搭載されているか否かを判断する処理と、
前記検知する処理により、前記周囲の照度が、所定時間、所定の閾値より小であると検知されると、前記消費電力モードを前記低消費電力モードに遷移させる処理と、
前記判断する処理により、前記通信機器がオプションとして搭載されていると判断されたときは、前記検知する処理により、前記周囲の照度が、所定時間、所定の閾値より小であると検知されたときであっても、前記消費電力モードを、前記通常モードに維持する処理と、
を実現させるためのプログラム。
【発明の詳細な説明】
【技術分野】
【０００１】
本発明は、画像処理装置、制御方法、及びプログラムに関する。
【背景技術】
【０００２】
画像処理装置の一例として、複合機が存在する。複合機とは、複写機、プリンタ、スキャナ、ファクシミリ等の機能が１つに纏められた機器である。そして、複合機を利用していないときに、操作部パネル、制御部、スキャナ部、プロッタ部等に電源が供給されていると、複合機は無駄な電力を消費する。そこで、通常、複合機は、自身を動作させるために複合機全体に電力を供給する通常モードと、通常モードより消費電力が低い低消費電力モードとを備えている。消費電力モードの切り替えは、操作キー、タイマ、照度センサ、超音波センサ、赤外線センサ等で対応する技術が知られている。
【０００３】
特許文献１には、消費電力を削減すると共に、ユーザの利便性を向上させるという目的で、照度センサによって画像形成装置、又はファクシミリの周辺が明るくなったら、画像形成部の電源を入れる方法が開示されている。
【発明の概要】
【発明が解決しようとする課題】
【０００４】
複合機には、ファクシミリをオプションとして搭載するか否かを選択することが可能な機器が存在する。複合機が、ファクシミリをオプションとして搭載していないとき、照度センサの出力値から当該複合機の周囲が暗くなったと判断し、複合機の電源を低消費電力モードに遷移させることにより、当該複合機の消費電力を削減することができる。
【０００５】
しかしながら、複合機が、ファクシミリをオプションとして搭載しているとき、照度センサの出力値から当該複合機の周囲が暗くなったと判断し、複合機の電源を低消費電力モードに遷移させてしまうと、ファクシミリを受信することができないという問題がある。すなわち、ファクシミリがオプションとなっていて、ファクシミリの搭載、非搭載に係わらず消費電力モードの遷移状態が同じである場合、複合機は、低消費電力モード時にファクシミリを受信することができなくなり、ユーザにとっては不便であるという課題があった。
【０００６】
特許文献１に記載された技術は、照度センサの出力から判断して画像形成部を作動させるか否かを制御している。しかし、特許文献１は、そもそもファクシミリをオプションとして搭載するか否かを選択することができない、すなわち、ファクシミリが搭載されていることを前提とするファクシミリ専用機を対象としている。
【０００７】
したがって、ファクシミリがオプションになった場合については考慮されていない。そうすると、ファクシミリが搭載されていても消費電力モードは通常モードのままということになるため、画像形成部以外にも電源が供給される。よって、特許文献１の技術は、待機時の消費電力を削減することができないという課題がある。
【０００８】
そこで本発明は、上記従来技術の問題点に鑑みてなされたものであって、通信機器がオプションとして搭載されているときは、通信機器を利用することができ、通信機器がオプションとして搭載されていないときは、消費電力を削減することができる画像処理装置を提供することを目的とする。
【課題を解決するための手段】
【０００９】
上記課題を解決するため、請求項１に記載の本発明における画像処理装置は、通信機器をオプションとして搭載可能であり、消費電力モードとして、前記通信機器を動作状態にする通常モードと、前記通信機器を不動作状態にする低消費電力モードとを少なくとも有する画像処理装置であって、前記画像処理装置の周囲の照度を検知する検知手段と、前記通信機器がオプションとして搭載されているか否かを判断する判断手段と、前記検知手段により、前記周囲の照度が、所定時間、所定の閾値より小であると検知されると、前記消費電力モードを前記低消費電力モードに遷移させる制御手段と、を含み、前記判断手段により、前記通信機器がオプションとして搭載されていると判断されたときは、前記検知手段により、前記周囲の照度が、所定時間、所定の閾値より小であると検知されたときであっても、前記制御手段は、前記消費電力モードを、前記通常モードに維持することを特徴とする。
【発明の効果】
【００１０】
本発明によれば、通信機器がオプションとして搭載されているか否かを判断し、通信機器がオプションとして搭載されていると判断されると、消費電力モードを低消費電力モードに遷移させず、通常モードを維持する。これにより、通信機器を利用することができる。通信機器がオプションとして搭載されていないと判断されると、消費電力モードを低消費電力モードに遷移させる。これにより、消費電力を削減することができる画像処理装置を得ることができる。
【図面の簡単な説明】
【００１１】
【図１】本発明の実施形態に係る画像処理装置の全体構成を示す概略ブロック図である。
【図２】本発明の実施形態に係る画像処理装置の中の操作制御部の構成を示す概略ブロック図である。
【図３】本発明の実施形態に係る画像処理装置の中の実行制御部の構成を示す概略ブロック図である。
【図４】本発明の実施形態に係る画像処理装置の中のファクシミリオプション判断部の構成を示す回路図である。
【図５】本発明の実施形態に係る画像処理装置の中の実行制御部と操作制御部との間のインタフェースについて説明する図である。
【図６】本発明の実施形態に係る画像処理装置における消費電力モードの動作について説明する状態遷移図である。
【図７】本発明の実施形態に係る画像処理装置における消費電力モードの動作について説明するフローチャート図である。
【図８】本発明の実施形態に係る画像処理装置における照度検知の例として、（ａ）明るくなった場合、（ｂ）暗くなった場合について説明する図である。
【図９】本発明の実施形態に係る画像処理装置における照度センサの検知フローについて説明するフローチャート図である。
【発明を実施するための形態】
【００１２】
次に、本発明を実施するための形態について図面を参照して詳細に説明する。なお、各図中、同一又は相当する部分には同一の符号を付しており、その重複説明は適宜に簡略化乃至省略する。本発明は、通信機器がオプションとして搭載されていると、消費電力モードを通常モードに維持し、ユーザの利便性を向上させる。オプションとして搭載されていないと、消費電力を削減することとしている。
【００１３】
要するに、本発明の実施形態に係る画像処理装置は、通常モードと低消費電力モードとの消費電力モードとを備えている。そして、照度を検知する照度センサと、照度センサの出力値から明暗を検知する照度判断部とを備えている。さらに、通信機器の一例であるファクシミリがオプションとして搭載されているか否かを判断するファクシミリオプション判断部を備えている。
【００１４】
そして、ファクシミリオプション判断部においてファクシミリがオプションとして搭載されていると判断されると、照度判断部において照度が暗いと判断された場合でも、消費電力モードを低消費電力モードに変更せず、通常モードを維持することが特徴となっている。なお、以下の説明においては、通信機器の一例として、ファクシミリを用いて説明するが、通信機器は、ファクシミリに限定されない。
【００１５】
まず、図１を用いて本発明の実施形態における画像処理装置の概略構成について説明する。図１は、本発明の実施形態に係る画像処理装置の全体構成を示す概略ブロック図である。図１において、外部から供給される電源１０１は、画像処理装置１００に供給され画像処理装置１００を動作させるものである。
【００１６】
画像処理装置１００は、電源１０１から画像処理装置１００内に電源を供給するＰＳＵ（Power Supply Unit）１０２と、画像データを表示するＬＣＤ（Liquid Crystal Display）１０３と、ユーザが操作する操作パネル１０４と、から構成される。また、画像処理装置１００は、操作パネル１０４から入力された操作情報を実行制御部１０６に伝える操作制御部１０５と、原稿を読み取り画像データに変換して出力するスキャナ部１０７と、画像データを入力し印刷を実行するプロッタ部１０８と、から構成される。さらに、画像処理装置１００は、公衆回線に接続されファクシミリの送受信が可能でありオプションとして搭載可能なファクシミリ部１０９と、ファクシミリ部１０９が画像処理装置１００に搭載されているか否かを判断するファクシミリオプション判断部１１０と、から構成される。
【００１７】
また、画像処理装置１００は、実行制御部１０６を有する。実行制御部１０６は、操作制御部１０５からの操作情報を実行し、スキャナ部１０７から出力された画像データをプロッタ部１０８で印刷可能な画像データに変換する。また、実行制御部１０６は、外部のネットワーク１１１、及びＵＳＢ（Universal Serial Bus）１１２と通信可能なインタフェースである。
【００１８】
さらに、画像処理装置１００は、ＰＳＵ１０２から供給される電源をプロッタ部１０８に供給するＦ１  １１３と、ＰＳＵから供給される電源をスキャナ部１０７に供給するＦ２  １１４とから構成される。Ｆ１  １１３とＦ２  １１４は、共にＦＥＴ（Field Effect Transistor）である。
【００１９】
次に、図１に示した操作制御部１０５に関し、図２を用いて説明する。図２は、本発明の実施形態に係る画像処理装置の中の操作制御部の構成を示す概略ブロック図である。操作制御部１０５は、操作パネル上の複数のキー２０１から入力を受け付けるキー入力受付手段２０２と、画像処理装置１００の操作パネル２０３の表示手段（ＬＥＤ：Light Emitting Diode)２０４と、から構成される。
【００２０】
また、操作制御部１０５は、画像処理装置の周囲の明るさを検知する照度センサ２０５と、照度センサ２０５の出力を量子化するＡ／Ｄ（Analog/Digital）変換２０６と、から構成される。さらに、操作制御部１０５は、実行制御部１０６との接続を行うインタフェース手段２０７と、操作制御部１０５全体を制御する制御手段２０８と、から構成される。そして、操作制御部１０５は、制御手段２０８が操作制御部１０５全体を制御するプログラム等を記憶する不揮発性のＲＯＭ（Read Only Memory）２０９と、操作制御部１０５全体の動作を実行するためのデータを記憶するＲＡＭ（Random Access Memory）２１０と、から構成される。
【００２１】
キー入力受付手段２０２は、押されたキーのチャタリングの除去を行い、キー入力があると実行制御部１０６に通知する。不揮発性のＲＯＭ２０９は、フラッシュ・ＲＯＭで構成される。なお、制御手段２０８と、Ａ／Ｄ変換２０６と、ＲＯＭ２０９と、ＲＡＭ２１０と、インタフェース手段２０７とは、マイコン２１１で構成されていても良い。マイコン２１１は、照度センサ２０５の出力がＡ／Ｄ変換２０６によって変換された値により、画像処理装置の周囲の明るさを判断する。
【００２２】
次に、図１に示した実行制御部１０６に関し、図３を用いて説明する。図３は、本発明の実施形態に係る画像処理装置の中の実行制御部の構成を示す概略ブロック図である。実行制御部１０６は、実行制御部１０６全体にクロックを供給するクロック生成部３０１と、実行制御部１０６全体を制御するＭａｉｎ  ＣＰＵ（Central Processing Unit）３０２と、から構成される。
【００２３】
また、実行制御部１０６は、Ｍａｉｎ  ＣＰＵ３０２を動作させる第１のプログラムを記憶する不揮発性のＲＯＭ３０３と、第１のプログラムを高速に実行させるＤＤＲ（Double Data Rate Synchronous Dynamic Random Access Memory）３０４と、から構成される。さらに、実行制御部１０６は、実行制御部１０６の電力を制御するボード電力制御部３０５と、スキャナ部１０７（図１）、プロッタ部１０８、及びＬＣＤ１０３の電力を制御する外部電力制御部３０６と、から構成される。
【００２４】
そして、実行制御部１０６は、ボード電力制御部３０５と外部電力制御部３０６とを制御するＳｕｂ  ＣＰＵ３０７と、ネットワーク１１１と通信するＰＨＹ（Physical Layer）３０８と、ＡＳＩＣ（Application Specific Integrated Circuit）３０９と、から構成される。
【００２５】
Ｓｕｂ  ＣＰＵ３０７には、ＧＩＯ、フラッシュ・ＲＯＭ、ＲＡＭ、及び発振回路が内蔵されている。ＡＳＩＣ３０９は、Ｍａｉｎ  ＣＰＵ３０２とのインタフェースであるＣＰＵ  Ｉ／Ｆ３１０と、ＲＯＭ３０３とのインタフェースであるＲＯＭ  Ｉ／Ｆ３１１と、ＤＤＲ３０４とのインタフェースであるＭＥＭ  Ｉ／Ｆ３１２と、から構成される。
【００２６】
また、ＡＳＩＣ３０９は、スキャナ部１０７、プロッタ部１０８、及びファクシミリ部１０９とのインタフェースであるＰＣＩ  Ｉ／Ｆ３１３と、操作制御部１０５とのインタフェースであるＯＰＵ(Option Unit)Ｉ／Ｆ３１４と、から構成される。さらに、ＡＳＩＣ３０９は、ＬＣＤ１０３とのインタフェースであるＬＣＤ  Ｉ／Ｆ３１５と、外部と通信するＵＳＢ３１６と、から構成される。そして、ＡＳＩＣ３０９は、ネットワーク通信を行うＰＨＹ３０８と接続するためのＭＡＣ（論理層）３１７と、上記を接続する内部バスであるＩｎｔｅｒｎａｌ  ＢＵＳ３１８と、から構成される。
【００２７】
次に、図１に示したファクシミリオプション判断部１１０に関し、図４を用いて説明する。図４は、本発明の実施形態に係る画像処理装置の中のファクシミリオプション判断部の構成を示す回路図である。
【００２８】
図１に示したファクシミリ部１０９はオプションであるため、ファクシミリ部１０９が搭載されると、ファクシミリ部１０９は、バッファ４０１を介してアクティブ（Ｈｉｇｈ）信号を出力する。ファクシミリ部１０９が搭載されてないと、ファクシミリ部１０９は信号を出力しない。
【００２９】
ファクシミリオプション判断部１１０は、ファクシミリ部１０９からアクティブ（Ｈｉｇｈ）信号が出力されると、実行制御部１０６（図１）に対して、ファクシミリ部１０９が搭載されていることを示す信号であるアクティブ（Ｈｉｇｈ）を出力する。ファクシミリオプション判断部１１０は、ファクシミリ部１０９が搭載されていないと、ファクシミリ部１０９からファクシミリオプション判断部１１０に対して信号を出力しない。
【００３０】
ファクシミリオプション判断部１１０の入力はＰｕｌｌ  Ｄｏｗｎ抵抗４０２で接地されているので、ファクシミリオプション判断部１１０に入力がない場合、ファクシミリオプション判断部１１０のバッファ４０１の入力はＬｏｗになる。したがって、ファクシミリ部１０９が搭載されていないと、ファクシミリオプション判断部１１０はインアクティブ（Ｌｏｗ）信号を出力する。
【００３１】
次に、実行制御部と操作制御部との間のインタフェースに関し、図５を用いて説明する。図５は、本発明の実施形態に係る画像処理装置の中の実行制御部と操作制御部との間のインタフェースについて説明する図である。
【００３２】
実行制御部１０６側のＯＰＵ  Ｉ／Ｆ３１４は、Ｉ２Ｃ  Ｉ／Ｆ  Ｍａｓｔｅｒ３１４１とＧＩＯ３１４２とから構成されている。ＯＰＵ  Ｉ／Ｆ３１４の中のＩ２Ｃ  Ｉ／Ｆ  Ｍａｓｔｅｒ３１４１は、マスタ動作を行う。
【００３３】
操作制御部１０５側のインタフェース手段２０７は、Ｉ２Ｃ  Ｉ／Ｆ  Ｓｌａｖｅ２０７１とＧＩＯ２０７２とからなる。インタフェース手段２０７の中のＩ２Ｃ  Ｉ／Ｆ  Ｓｌａｖｅ２０７１は、スレーブ動作を行う。Ｉ２Ｃ  Ｉ／Ｆ  Ｍａｓｔｅｒ３１４１とＩ２Ｃ  Ｉ／Ｆ  Ｓｌａｖｅ２０７１とは、ＳＣＬとＳＤＡとの２本の信号線で接続されている。ＧＩＯ３１４２とＧＩＯ２０７２とは、ＫＥＹＲＥＱ＿Ｎで接続されている。
【００３４】
次に、画像処理装置の消費電力モードの動作に関し、図６を用いて説明する。図６は、本発明の実施形態に係る画像処理装置における消費電力モードの動作について説明する状態遷移図である。
【００３５】
Ｐｏｗｅｒ  ＯＦＦモード６０１は、画像処理装置全体、又は一部に電源が供給されていない状態であって、画像処理装置の電源プラグがＡＣ（Alternative Current）コンセントに挿入されていないときである。以下、消費電力モードの動作について順を追って説明する。
【００３６】
（１）電源プラグがＡＣコンセントに挿入されると、ＳＤＭＯＤＥ＿Ｎがアクティブ（Ｌｏｗ）になることによって、消費電力モードは、Ｐｏｗｅｒ  ＯＦＦモード６０１から低消費電力モード６０２に遷移する。
【００３７】
（３）消費電力モードが低消費電力モード６０２のとき、Ｐｏｗｅｒ  ＳＷ１１５（図１）が押下されると、消費電力モードは通常モード６０３に遷移する。この通常モード６０３では、ファクシミリ部１０９が搭載されていると、ファクシミリ部１０９も動作状態となる。
【００３８】
また、ファクシミリ部１０９が搭載されておらず、マイコン２１１が画像処理装置の周囲が明るくなったと判断すると、消費電力モードは低消費電力モード６０２から通常モード６０３に遷移する。
【００３９】
（４）消費電力モードが通常モード６０３のとき、外部からの通信がなくなってから所定の時間が経過した場合、すなわち、非稼働状態が所定時間継続した場合、又はＥＣＯキー１１６を押下した場合、消費電力モードは省エネモード６０４へ遷移する。
【００４０】
（５）消費電力モードが省エネモード６０４のとき、ファクシミリ部１０９で受信があった場合、又はＥＣＯキー１１６若しくは他のキー２０１が押下された場合、消費電力モードは通常モード６０３へ遷移する。
【００４１】
（６）消費電力モードが省エネモード６０４のとき、ファクシミリ部１０９が搭載されておらず、マイコン２１１が、画像処理装置の周囲が暗くなったと判断すると、消費電力モードは低消費電力モード６０２へ遷移する。なお、この低消費電力モード６０２では、ファクシミリ部１０９もの動作も停止する状態（以下、この状態を「不動作状態」という。）となる。
【００４２】
（７）消費電力モードが通常モード６０３のとき、Ｐｏｗｅｒ  ＳＷ１１５が押下されると、消費電力モードは低消費電力モード６０２に遷移し、ファクシミリ部１０９も不動作状態となる。しかしながら、ファクシミリ部１０９が搭載されているときは、ファクシミリ部１０９を常時動作状態にしておく必要がある。そのため、ファクシミリ部１０９が搭載されているときは、Ｐｏｗｅｒ  ＳＷ１１５が押下されても低消費電力モード６０２に遷移させないようにする。なお、ユーザに対して、ファクシミリ部１０９が不動作状態となる旨を注意喚起するようにしても良い。
【００４３】
また、消費電力モードが通常モード６０３のとき、ファクシミリ部１０９が搭載されている状態で、マイコン２１１が、画像処理装置の周囲が暗くなったと判断したとしても、消費電力モードは、通常モード６０３から低消費電力モード６０２に遷移させないようにする必要がある。ユーザが気付かない間にファクシミリ部１０９が不動作状態になることを防止するためである。
【００４４】
（２）本明細書では、消費電力モードが通常モード６０３、省エネモード６０４、及び低消費電力モード６０２の何れかの場合を、Ｐｏｗｅｒ  Ｓｕｐｐｌｉｅｄモード６０５と称する。消費電力モードがＰｏｗｅｒ  Ｓｕｐｐｌｉｅｄモード６０５の場合、ＳＤＭＯＤＥ＿Ｎはインアクティブ（Ｈｉｇｈ)になる。Ｐｏｗｅｒ  Ｓｕｐｐｌｉｅｄモード６０５のとき、Ｐｏｗｅｒ  ＳＷ１１５が押下された場合、又はＡＣコンセントから電源プラグが抜かれた場合、消費電力モードはＰｏｗｅｒ  ＯＦＦモード６０１へ遷移する。
【００４５】
次に、画像処理装置の消費電力モードの動作に関し、図７を用いて説明する。図７は、本発明の実施形態に係る画像処理装置における消費電力モードの動作について説明するフローチャート図である。
【００４６】
まず始めに、電源プラグがＡＣコンセントに挿入されると、電源はＰＳＵ１０２に供給される。次に、ステップ（以下、「Ｓ」という。）７０１の処理において、ＰＳＵ１０２は、実行制御部１０６のＳｕｂ  ＣＰＵ３０７、操作制御部１０５のマイコン２１１、ファクシミリ部１０９、及びファクシミリオプション判断部１１０に対して電源を供給する。
【００４７】
Ｓｕｂ  ＣＰＵ３０７とマイコン２１１に電源が供給されると、Ｓ７０２の処理において、ＲＯＭ３０３及びＲＯＭ２０９上のプログラムが実行されてＳｕｂ  ＣＰＵ３０７とマイコン２１１は初期化を行う。Ｓｕｂ  ＣＰＵ３０７の初期化が完了すると、Ｓ７０３の処理において、消費電力モードは、低消費電力モード６０２に設定される。
【００４８】
Ｓ７０４の処理において、Ｓｕｂ  ＣＰＵ３０７は、Ｐｏｗｅｒ  ＳＷ１１５がＯＮされたか否かを判断する。Ｓｕｂ  ＣＰＵ３０７によって、Ｐｏｗｅｒ  ＳＷ１５がＯＮされたことが検知されると（Ｓ７０４：Ｙ）、Ｓ７０５の処理において、Ｓｕｂ  ＣＰＵ３０７は、消費電力モードを通常モード６０３に設定する。
【００４９】
また、ファクシミリオプション判断部１１０においてファクシミリが搭載されていないと判断され、操作制御部１０５のマイコン２１１が、画像処理装置の周囲が明るくなったと判断すると、マイコン２１１はＬＤＥＴ＿Ｎをアクティブ（Ｌｏｗ)にする（Ｓ７０８：Ｙ）。これにより、Ｓｕｂ  ＣＰＵ３０７は、消費電力モードを通常モード６０３に設定する（Ｓ７０５）。
【００５０】
Ｓｕｂ  ＣＰＵ３０７が、消費電力モードを通常モード６０３に設定すると、Ｓｕｂ  Ｃ３０７ＰＵは、ボード電力制御部３０５を介して実行制御部１０６全体に電力が供給されるように制御する。さらに、Ｓｕｂ  ＣＰＵ３０７は、外部電力制御部３０６を介してスキャナ部１０７、プロッタ部１０８、及びＬＣＤ１０３に電力が供給されるように制御する。このようにして、画像処理装置全体に電源が供給される（Ｓ７０６）。
【００５１】
ファクシミリ部１０９はオプションなので、ファクシミリ部は、搭載されている場合と搭載されていない場合とがある。ファクシミリ部１０９が搭載されている場合、ＰＳＵ１０２から電源が供給されるとファクシミリ部１０９は初期化を行う。実行制御部１０６に電源が供給されると、Ｓｕｂ  ＣＰＵ３０７は、クロック生成部３０１、Ｍａｉｎ  ＣＰＵ３０２、ＡＳＩＣ３０９、ＤＤＲ３０４、及びＰＨＹ３０８に電源を供給する。
【００５２】
クロック生成部３０１に電源が供給されると、クロック生成部３０１はクロックを生成し、Ｍａｉｎ  ＣＰＵ３０２、ＡＳＩＣ３０９、及びＰＨＹ３０８にクロックを供給する。Ｓ７０７の処理において、Ｍａｉｎ  ＣＰＵ３０２は、ＲＯＭ３０３に格納されている第１のプログラムを起動し、Ｍａｉｎ  ＣＰＵ３０２、及びＡＳＩＣ３０９を初期化する。
【００５３】
ＡＳＩＣ３０９内のＭＥＭ  Ｉ／Ｆ３１２の初期化が終了すると、Ｓｕｂ  ＣＰＵ３０７は、ＲＯＭ３０３に記憶されている第１のプログラムを、ＲＯＭ３０３に格納されている第２のプログラムをＤＤＲ３０４に転送する。Ｓｕｂ  ＣＰＵ３０７は、第２のプログラムの転送後、ＤＤＲ３０４にある第２のプログラムを起動させる。ＤＤＲ３０４上にプログラムがあるため、Ｓｕｂ  ＣＰＵ３０７は高速にプログラムの実行が可能となる。
【００５４】
第２のプログラムが起動すると、Ｓｕｂ  ＣＰＵ３０７は、ＲＯＭ  Ｉ／Ｆ３１１、ＭＥＭ  Ｉ／Ｆ３１２以外のＯＰＵ  Ｉ／Ｆ３１４、ＬＣＤ  Ｉ／Ｆ３１５、ＵＳＢ３１６、ＭＡＣ３１７、ＰＣＩ  Ｉ／Ｆ３１３を初期化する。ＡＳＩＣ３０９内の初期化が完了すると、ＬＣＤ１０３は表示が可能となる。さらに、操作制御部１０５、スキャナ部１０７、プロッタ部１０８、及びファクシミリ部１０９が搭載されているならば、Ｓｕｂ  ＣＰＵ３０７は、ファクシミリ部１０９と通信が可能になる。
【００５５】
Ｓ７０７の処理において、Ｍａｉｎ  ＣＰＵ３０２が実行制御部１０６の初期化を完了すると、実行制御部１０６は、ＰＣやネットワークと通信が可能となる。ネットワーク１１１、ＵＳＢ１１２からの入力があると実行制御部１０６は処理を行う。また、ファクシミリ部１０９が搭載されていると、ＰＳＴＮ（Public Switched Telephone Networks）を介して、ファクシミリ部１０９は実行制御部１０６と通信が可能となる。
【００５６】
Ｍａｉｎ  ＣＰＵ３０２は、ＯＰＵ  Ｉ／Ｆ３１４を介して操作制御部１０５にＬＥＤ制御情報を送信し、キーの状態情報を操作制御部１０５から受信する。ＯＰＵ  Ｉ／Ｆ３１４と操作制御部１０５との間の送受信は、Ｉ２Ｃ  Ｉ／Ｆを通じて行われる。ＯＰＵ  Ｉ／Ｆ３１４にあるＩ２Ｃ  Ｉ／Ｆ  Ｍａｓｔｅｒ３１４１はマスタなので、マスタ側から操作制御部１０５のインタフェース手段２０７のＩ２Ｃ  Ｉ／Ｆ  Ｓｌａｖｅ２０７１に対して通信を行う。
【００５７】
キーの状態が変化すると、操作制御部１０５はＫＥＹＲＥＱ＿Ｎをアクティブ（Ｌｏｗ）にし、ＯＰＵ  Ｉ／Ｆ３１４に通知する。ＯＰＵ  Ｉ／Ｆ３１４に対する通知がＭａｉｎ  ＣＰＵ３０２によって検知されると、Ｍａｉｎ  ＣＰＵ３２０は、ＯＰＵ  Ｉ／Ｆ３１４を介してキーの状態をマイコン２１１から通知してもらう。
【００５８】
Ｍａｉｎ  ＣＰＵ３０２がキーの入力があると判断し、当該キーとしてＥＣＯキー１１６が押下された場合は、Ｍａｉｎ  ＣＰＵ３０２は、Ｓｕｂ  ＣＰＵ３０７に対して消費電力モードを通常モード６０３から省エネモード６０４に移行するよう通知する。Ｍａｉｎ  ＣＰＵ３０２においてＥＣＯキー１１６以外のキー２０１が押下されたと判断された場合は、押下されたキー２０１の状態に応じて実行制御部１０６は処理を実行する。
【００５９】
ＰＳＴＮ、ネットワーク１１１、及びＵＳＢ１１２からの入力がなく（Ｓ７１０：Ｎ、Ｓ７１１：Ｎ、Ｓ７１２：Ｎ）、キー２０１の入力がない場合（Ｓ７１３：Ｎ）、Ｓ７１４の処理において、Ｍａｉｎ  ＣＰＵ３０２は、所定時間経過したか否かを判断する。所定時間が経過した場合（Ｓ７１４：Ｙ）、Ｍａｉｎ  ＣＰＵ３０２は、Ｓｕｂ  ＣＰＵ３０７に対して、消費電力モードを通常モード６０３から省エネモードに６０４へ遷移するよう通知する（Ｓ７１６）。
【００６０】
消費電力モードが省エネモード６０４に遷移すると、Ｓｕｂ  ＣＰＵ３０７は、外部電力制御部３０６を介してスキャナ部１０７、プロッタ部１０８、及びＬＣＤ１０３に対する電力供給を停止する。ファクシミリ部が搭載されており、ファクシミリ受信をファクシミリ部１０９が検知すると（Ｓ７１０：Ｙ）、ファクシミリ部１０９はＳｕｂ  ＣＰＵ３０７対して通知を行う。
【００６１】
また、操作制御部１０５でＥＣＯキー１１６の押下が検出されると、マイコン２１１は、ＫＥＹＲＥＱ＿Ｎをアクティブ（Ｌｏｗ）にしてＳｕｂ  ＣＰＵ３０７に通知する。ＥＣＯキー１１６以外のキー２０１が押下されても、マイコン２１１は、ＫＥＹＲＥＱ＿Ｎをアクティブ（Ｌｏｗ）にしてＳｕｂ  ＣＰＵ３０７に通知するようにしても良い。
【００６２】
Ｓｕｂ  ＣＰＵ３０７は、ファクシミリ部１０９からの受信があったこと（Ｓ７１７：Ｙ）、又はＫＥＹＲＥＱ＿Ｎがアクティブになったこと（Ｓ７１８：Ｙ）を検知すると、消費電力モードを通常モード６０３に遷移させる（Ｓ７０５）。消費電力モードが省エネモード６０４であるときに、ファクシミリオプション判断部１１０によりファクシミリ部１０９が搭載されていないと判断されると（Ｓ７１９：Ｎ）、Ｓ７２０の処理へ移行する。Ｓ７２０の処理において、マイコン２１１が、画像処理装置の周囲が暗くなったと判断すると、マイコン２１１は、ＬＤＥＴ＿Ｎをアクティブ（Ｌｏｗ）にして、Ｓｕｂ  ＣＰＵ３０７へ通知する。
【００６３】
Ｓｕｂ  ＣＰＵ３０７が省エネモード６０４であるときに、ＬＤＥＴ＿Ｎがアクティブ（Ｌｏｗ）になったことを検知すると（Ｓ７２０：Ｙ）、Ｓ７０３の処理へ移行し、Ｓｕｂ  ＣＰＵ３０７は消費電力モードを低消費電力モード６０２に設定する。
【００６４】
消費電力モードが通常モード６０３、省エネモード６０４、又は低消費電力モード６０２の何れかのモードであるＰｏｗｅｒ  Ｓｕｐｐｌｉｅｄモード６０５であるとする。このときにＰｏｗｅｒ  ＳＷ１１５が押下された場合、Ｓｕｂ  ＣＰＵ３０７は、Ｐｏｗｅｒ  ＳＷ１１５が押下されたことを検出する。そして、Ｓｕｂ  ＣＰＵ３０７は、外部電力制御部３０６、及びボード電力制御部３０５に対する電力の供給を停止する制御を行う。
【００６５】
また、ＡＣコンセントから電源プラグを抜いた場合、画像処理装置１００に対する電源の供給が停止されるので、消費電力モードはＰｏｗｅｒ  ＯＦＦモード６０１となる。
【００６６】
次に、画像処理装置の照度検知に関し、図８を用いて説明する。図８は、本発明の実施形態に係る画像処理装置における照度検知の例として、（ａ）明るくなった場合、（ｂ）暗くなった場合について説明する図である。
【００６７】
図８（ａ）（ｂ）共に、横軸は時間、縦軸は照度を表し、時間の経過と照度との関係をそれぞれ示している。図８（ａ）は、時間が経過するに連れて画像処理装置１００の周囲の照度が明るくなっていく様子をグラフ化したものである。
【００６８】
マイコン２１１によって明るくなったと判断されるときの閾値照度をＬ２に設定すると、時刻ｔ４に至ったときに、マイコン２１１は照度が明るくなったと判断することができる。時刻ｔ４は画像処理装置１００の周囲が十分に明るくなった場合である。
【００６９】
明け方の薄暗いとき等は画像処理装置１００を利用するユーザは殆どいない。したがって、マイコン２１１が時刻ｔ２に至っときに照度が明るくなったと判断してしまうと、画像処理装置１００の利用者が殆どいない時間帯に画像処理装置１００に電源が供給されてしまい、無駄な電力を消費することになる。時刻ｔ４に至ったときであれば、画像処理装置１００の周囲が十分明るくなった場合であるので、利用者が殆どいない明け方に電源を供給することがなく、マイコン２１１は無駄な電力の消費を抑えることができる。
【００７０】
時刻ｔ７から時刻ｔ８にかけて、所定時間Ｔ２を超えて、照度が閾値照度Ｌ２を超えているが、この時間帯では、画像処理装置１００の消費電力モードは、通常モード６０３又は省エネモード６０４であり、低消費電力モード６０２ではない。したがって、マイコン２１１は照度が明るくなったとは判断しない。
【００７１】
このように、明るくなったと判断する閾値照度をＬ２に設定すれば、マイコン２１１は、利用者が殆どいない薄暗い明け方に画像処理装置１００の周囲が明るくなったと判断することはなく、無駄な電力の消費を抑えることができる。また、マイコン２１１は、頻繁に画像処理装置１００の電源のＯＮ／ＯＦＦ切り替えを行わないので、画像処理装置１００内の部品の寿命に対する影響を少なくすることができる。
【００７２】
次に、図８（ｂ）について説明する。図８（ｂ）は、時間が経過するに連れて画像処理装置１００の周囲の照度が暗くなっていく様子をグラフ化したものである。画像処理装置１００の周囲の照度が暗くなった時刻Ｔ１１の時点で利用者が照明を付けて、時刻ｔ１３の時点で照明を消したと仮定する。
【００７３】
照明の異常により、時刻ｔ１３の時点で照明を消灯後、時刻ｔ１４からｔ１５に至るまでの間、再び照明が付いてしまう。しかしながら、所定時間Ｔ１以上、照度が閾値照度Ｌ１より小さくないので、マイコン２１１は、時刻ｔ１４の時点において画像処理装置１００の周囲が暗くなったと検知することはしない。時刻ｔ１５の時点で再び照明が消灯され、時刻ｔ１７に至るまでの所定時間であるＴ１以上、照度が閾値照度Ｌ１より小さくなると、マイコン２１１は、画像処理装置１００の周囲が暗くなったと判断する。
【００７４】
次に、画像処理装置における照度センサの検知フローに関し、図９を用いて説明する。図９は、本発明の実施形態に係る画像処理装置における照度センサの検知フローについて説明するフローチャート図である。
【００７５】
照度検知は、操作制御部１０５にある照度センサ２０５の出力を、Ａ／Ｄ変換２０６が一定間隔でＡ／Ｄ変換を行うことにより実施される。Ａ／Ｄ変換２０６は、Ａ／Ｄ変換する際に電力を消費するので、操作制御部１０５の制御手段２０８は、予め定められた一定間隔でＡ／Ｄ変換を行うよう制御する。
【００７６】
Ａ／Ｄ変換を行う前に、マイコン２１１は、Ｓ９０１、Ｓ９０２の処理において、照度が閾値照度Ｌ１より小である時間ｔＬ１、及び照度が閾値照度Ｌ２より大である時間ｔＬ２をそれぞれ初期化してクリアする。次に、Ｓ９０３の処理において、マイコン２１１は、照度センサ２０５の出力を一定間隔でＡ／Ｄ変換２０６によってＡ／Ｄ変換し、照度Ｌを算出する。
【００７７】
ＳＤＭＯＤＥ＿Ｎがアクティブ（Ｌｏｗ)であるとき、すなわち消費電力モードが低消費電力モード６０２であるとき（Ｓ９０４：Ｙ）、照度Ｌが閾値照度Ｌ２より大である場合（Ｓ９０５：Ｙ）、Ｓ９０６の処理へ移行する。Ｓ９０６の処理において、マイコン２１１は、照度Ｌが閾値照度Ｌ２より大である時間ｔＬ２の経過時間を算出する（Ｓ９０６）。
【００７８】
時間ｔＬ２が所定時間Ｔ２より小である場合（Ｓ９０７：Ｎ）、マイコン２１１は、再び照度センサ２０５の出力をＡ／Ｄ変換し、照度Ｌの算出を行う（Ｓ９０３）。ｔＬ２が所定時間Ｔ２より大である場合（Ｓ９０７：Ｙ）、マイコン２１１は、ＬＤＥＴ＿Ｎを予め定めた一定時間アクティブ（Ｌｏｗ)にし（Ｓ９０８）、Ｓｕｂ  ＣＰＵ３０７に周囲が明るくなったことを通知する。照度Ｌが閾値Ｌ２より大きくない場合（Ｓ９０５：Ｎ）、Ｓ９０２の処理へ移行し、マイコン２１１は、時間ｔＬ２をクリアして再度照度Ｌを求める。
【００７９】
ＳＤＭＯＤＥ＿Ｎがインアクティブ（Ｈｉｇｈ)であるとき、すなわち消費電力モードがＰｏｗｅｒ  Ｓｕｐｐｌｉｅｄモード６０５のとき（Ｓ９０４：Ｎ）、照度Ｌが閾値照度Ｌ１より小である場合（Ｓ９１０：Ｙ）、Ｓ９１１の処理へ移行する。Ｓ９１１の処理において、マイコン２１１は、照度Ｌが閾値照度Ｌ１より小である時間ｔＬ１の経過時間を算出する（Ｓ９１１）。
【００８０】
時間ｔＬ１が所定時間Ｔ１より大である場合（Ｓ８１２：Ｙ）、マイコン２１１は、周囲が暗くなったと判断し、ＬＤＥＴ＿Ｎを予め定めた一定時間アクティブ（Ｌｏｗ)にし（Ｓ９０８）、Ｓｕｂ  ＣＰＵ３０７に暗くなったことを通知する。照度Ｌが閾値照度Ｌ１より小さくない場合（Ｓ９１０：Ｎ）、Ｓ９０１の処理へ移行し、マイコン２１１は、時間ｔＬ１をクリアして再度照度Ｌを求める。ｔＬ１がＴ１より大きくない場合（Ｓ９１２：Ｎ）、マイコン２１１は、再度照度センサ２０５の出力をＡ／Ｄ変換し、照度Ｌの算出を行う（Ｓ９０３）。
【００８１】
なお、図７及び図９に示した本発明の実施形態における画像処理装置１００の各動作フローは、コンピュータ上のプログラムに実行させることもできる。すなわち、画像処理装置１００に内蔵されているマイコン２１１、Ｍａｉｎ  ＣＰＵ３０２、及びＳｕｂ  ＣＰＵ３０７が、ＲＯＭ２０９、３０３、ＲＡＭ２１０、及びＤＤＲ３０４に格納されたプログラムをロードする。そして、当該プログラムの処理ステップが順次実行されることによって実現される。
【００８２】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００８３】
１００    画像処理装置
１０１    電源
１０２    ＰＳＵ
１０３    ＬＣＤ
１０４、２０３    操作パネル
１０５    操作制御部
１０６    実行制御部
１０７    スキャナ部
１０８    プロッタ部
１０９    ファクシミリ部
１１０    ファクシミリオプション判断部
１１１    ネットワーク
１１２、３１６    ＵＳＢ
１１３、１１４    ＦＥＴ
１１５    Ｐｏｗｅｒ  ＳＷ
１１６    ＥＣＯキー
２０１    キー
２０２    キー入力受付手段
２０４    表示手段
２０５    照度センサ
２０６    Ａ／Ｄ変換
２０７    インタフェース手段
２０８    制御手段
２０９、３０３    ＲＯＭ
２１０    ＲＡＭ
２１１    マイコン
３０１    クロック生成部
３０２    Ｍａｉｎ  ＣＰＵ
３０４    ＤＤＲ
３０５    ボード電力制御部
３０６    外部電力制御部
３０７    Ｓｕｂ  ＣＰＵ
３０８    ＰＨＹ
３０９    ＡＳＩＣ
３１０    ＣＰＵ  Ｉ／Ｆ
３１１    ＲＯＭ  Ｉ／Ｆ
３１２    ＭＥＭ  Ｉ／Ｆ
３１３    ＰＣＩ  Ｉ／Ｆ
３１４    ＯＰＵ  Ｉ／Ｆ
３１５    ＬＣＤ  Ｉ／Ｆ
３１７    ＭＡＣ
３１８    Ｉｎｔｅｒｎａｌ  ＢＵＳ
４０１    バッファ
４０２    Ｐｕｌｌ  Ｄｏｗｎ抵抗
６０１    Ｐｏｗｅｒ  ＯＦＦモード
６０２    低消費電力モード
６０３    通常モード
６０４    省エネモード
６０５    Ｐｏｗｅｒ  Ｓｕｐｐｌｉｅｄモード
２０７１    Ｉ２Ｃ  Ｉ／Ｆ  Ｓｌａｖｅ
３１４１    Ｉ２Ｃ  Ｉ／Ｆ  Ｍａｓｔｅｒ
２０７２、３１４２    ＧＩＯ
【先行技術文献】
【特許文献】
【００８４】
【特許文献１】特開２００９−１９２７１６号公報
【図１】
2014142818.tif 000003
【図２】
2014142818.tif 000004
【図３】
2014142818.tif 000005
【図４】
2014142818.tif 000006
【図５】
2014142818.tif 000007
【図６】
2014142818.tif 000008
【図７】
2014142818.tif 000009
【図８】
2014142818.tif 000010
【図９】
2014142818.tif 000011